(57)【要約】【目的】  発光効率を高めた光源によって撮影に必要な時間の点灯を可能にし、接写する被写体に対して全方向からムラ無く照明が可能であると共に必要最小限の小型化によって手軽に撮影レンズに装着できる接写用照明装置を提供する。【構成】  撮影レンズの先端に装着可能なカメラの付属品において、複数の白色発光ダイオード８を先端に環状に埋設して成す環状光源を有する円筒部材４であって、当該円筒部材４は前記白色発光ダイオード８に電流を供給するための電池７とオン、オフ操作のためのスイッチ５が搭載され、レンズフード機能を有し、また、前記円筒部材４の環状先端は埋設される白色発光ダイオード８の前面に環状の光線透過板９で封止されたものであり、前記光線透過板９は光源を被写体に向け均一に照射すべくフレネルレンズ９ａに成形した。【選択図】図１
2006292793.tif 000002
【特許請求の範囲】
【請求項１】
撮影レンズの先端に装着可能なカメラの付属品において、複数の白色発光ダイオードを先端に環状に埋設して成す環状光源を有する円筒部材であって、当該円筒部材は前記白色発光ダイオードに電流を供給するための電池とオン、オフ操作のためのスイッチが搭載され、レンズフード機能を有することを特徴とする照明装置。
【請求項２】
前記円筒部材の環状先端は埋設される白色発光ダイオードの前面に環状の光線透過板で封止されたものであり、前記透過板は光源を被写体に向け均一に照射すべくフレネルレンズに成形されたものであることを特徴とする請求項１記載の照明装置。
【発明の詳細な説明】
【技術分野】
【０００１】
本発明はカメラの撮影用照明装置に関し、特にレンズ先端に装着可能なレンズフードを兼用にした照明装置に関する。
【背景技術】
【０００２】
最近青色発光ダイオードの発明により可視領域で広い波長を持つ白色発光ダイオードが製品化され、これを用いた液晶表示のバックライト照明や懐中電灯等で実用化されてきている。この発光ダイオードは従来の照明に用いていた白熱電球に比べ電流が少なく発光効率が高いことから白熱電球に代わる光源として注目されている。
【０００３】
このような情勢に鑑みカメラ撮影時の被写体の照明用に適応させる提案が特開２００３−４３５６７号公報などで見受けられるようになってきている。
【０００４】
また、従来から接写用光源としてはカメラに装着する光源では被写体に対してパララックスが生じるため、接写レンズの前方に装着可能で、環状のキセノン管を用いたリングストロボが製品化されていて、特開２００３−９１０４４号公報のように接写用ストロボとして専用化した照明装置がある。
【特許文献１】特開２００３−４３５６７号公報
【特許文献２】特開２００３−９１０４４号公報
【発明の開示】
【発明が解決しようとする課題】
【０００５】
しかしながら、上記特開２００３−４３５６７号公報に提案の方法においては一般撮影の照明用としては大きいパワーが必要で、供給電源を含め概して大型化する傾向にある。一般撮影の照明には従来からの大きい発光光源が得られるストロボ発光装置を用いるのが一般的である。
【０００６】
また、上記特開２００３−９１０４４号公報の照明装置においては大きい光量が得られる長所はあるものの大型となり、手軽に撮影できるものでは無かった。特にストロボ光は瞬時のパルス発光であって、照明された被写体像をファインダー内で視認できない欠点を有している。
【０００７】
前記課題を解決するために、ここに提案する本発明は近接撮影が可能なカメラ、特にレンズ交換可能な一眼レフカメラの付属品用としてマクロ撮影レンズに対する簡易照明装置であり、発光効率を高めた光源によって撮影に必要な時間の点灯を可能にし、接写する被写体に対して全方向からムラ無く照明が可能であると共に必要最小限の小型化によって手軽に撮影レンズに装着できる接写用照明装置を提供する。
【課題を解決するための手段】
【０００８】
本発明の照明装置においては、撮影レンズの先端に装着可能なカメラの付属品において、複数の白色発光ダイオードを先端に環状に埋設して成す環状光源を有する円筒部材であって、当該円筒部材は前記白色発光ダイオードに電流を供給するための電池とオン、オフ操作のためのスイッチが搭載され、レンズフード機能を有することを特徴とするものである。
【０００９】
また、円筒部材の環状先端は埋設される白色発光ダイオードの前面に環状の光線透過板で封止されたものであり、前記透過板は光源を被写体に向け均一に照射すべくフレネルレンズに成形されたものであることが好ましい。
【発明の効果】
【００１０】
本発明は、撮影レンズの先端に装着可能なカメラの付属品において、複数の白色発光ダイオードを先端に環状に埋設して成す環状光源を有する円筒部材であって、当該円筒部材は前記白色発光ダイオードに電流を供給するための電池とオン、オフ操作のためのスイッチが搭載され、レンズフード機能を有し、また、前記円筒部材の環状先端は埋設される白色発光ダイオードの前面に環状の光線透過板で封止されたものであり、前記透過板は光源を被写体に向け均一に照射すべくフレネルレンズに成形したので、通常の撮影時におけるレンズフードの役割を兼ねながら接写撮影時の被写体照明が可能で、光軸上の被写体に対して全周からのムラの無い照明光が得られるため、ファインダー内で明瞭な被写体像を視認しながら撮影が可能となる。
【発明を実施するための最良の形態】
【００１１】
以下、図面等を参照して本発明の最も良好な実施形態を説明する。
【００１２】
図１は、本発明装置を撮影レンズ先端に装着した状態の斜視図であって、図２は本発明装置を撮影レンズ先端に装着した状態の断面図である。図３は本発明装置の回路図である。
【００１３】
図２において、撮影レンズ３は光軸１を中心にして対物レンズ２を含む複数のレンズ群を支持した複数の鏡筒３ａで構成されていて、これら鏡筒３ａの内でズーミング或いはフォーカシング時前方に伸長し、被写体光以外の光線に対して遮光を必要とする撮影レンズ３の鏡筒先端３ｂに対してネジ式或いはバヨッネット式又は、単なる被せ式等でレンズフードが装着できるようになっている。
【００１４】
本発明は図１及び図２に示すようにレンズフード効果のある円筒部材４を筐体とした装置で、これを撮影レンズ３の鏡筒先端３ｂに装着可能にした照明装置を提供するものである。
【００１５】
円筒部材４は図２に示すように一般のレンズフードの形状を成し、右の後端４ａは撮影レンズ３の鏡筒先端３ｂに対し着脱可能に成形されたものになっている一方、左の先端部は環状の開口部４ｂを有した空間４ｃを形成した形状となっている。
【００１６】
円筒部材４の環状の開口部４ｂで成す空間４ｃには環状の配線基盤１０が挿設されていて、この環状の配線基盤１０には図１で示すように複数の白色発光ダイオード８が環状に並列接続され、複数個の白色発光ダイオード８が円筒部材４の環状の開口部４ｂから空間４ｃに環状の列を成して埋設した恰好となる。
【００１７】
さらに円筒部材４の空間４ｃに埋設した複数の白色発光ダイオード８の前面を覆うように環状の開口部４ｂに環状の光線透過板９を嵌入し、円筒部材４の空間４ｃを環状の光線透過板９で封止した状態にしている。
【００１８】
環状の光線透過板９は表面がフレネルレンズ９ａに成形されていて、これは白色発光ダイオード８を発光させた時、被写体に対してムラのある環状の照射光になることを防ぐ目的であって、光軸１上にある被写体が図２の光線ｐで示すように周囲から均一に照明されるよう設計されている。
【００１９】
また、図１において、本発明装置の円筒部材４には先端に埋設する複数の白色発光ダイオード８のほか、これを点灯させるための電池７を内蔵させる電池ハウジング６が固設されていて、さらに白色発光ダイオード８を任意に点灯或いは消灯操作ができるスイッチ５が設置されている。
【００２０】
これにより円筒部材４の内部には電池７、白色発光ダイオード８及びスイッチ５を図３に示す回路図に従って結線する環状の配線基盤１０を含む導線で配線されていて、スイッチ５の操作で電池７から供給される電流により複数の白色発光ダイオード８による環状光源を点灯或いは消灯させることができるようになっている。
【００２１】
以上説明した本発明装置により光軸１上に在る被写体を図２に示す光線ｑのような有害光線を遮断しながら、記録に必要な部分の照明ができ、一眼レフカメラの場合、照明光の当たった被写体をファインダーで視認しながら撮影できるメリットが生じる。特にマクロ撮影が可能な撮影レンズではマクロ撮影時の照明に威力を発揮する。
【図面の簡単な説明】
【００２２】
【図１】本発明装置を撮影レンズ先端に装着した状態の斜視図である。
【図２】本発明装置を撮影レンズ先端に装着した状態の断面図である。
【図３】本発明装置の回路図である。
【符号の説明】
【００２３】
１  光軸
２  対物レンズ
３  撮影レンズ
４  円筒部材
５  スイッチ
６  電池ハウジング
７  電池
８  白色発光ダイオード
９  光線透過板
１０  配線基盤
【図１】
2006292793.tif 000003
【図２】
2006292793.tif 000004
【図３】
2006292793.tif 000005